(57)【特許請求の範囲】
【請求項１】
反応手段、分注手段、計測手段を有し、検体の成分分析を行う分析部と、記憶部、入力部、出力部を有する操作部とを備える自動分析装置において、
前記分析部が検体の分析を行うために作動した動作や自動分析装置のメンテナンスをした実施状況の情報、分析検査に供された試薬等の消耗品に関する使用経過の情報、及び分析検査の検量に用いる検量線を導出するために実施された分析検査の情報を実施日時又は使用日時と共に分析プロセスデータとして、前記記憶部に記憶させ、
前記検体の分析結果の批評として前記三つの情報を時系列で前記出力部に出力させるにあたり、分析した個々の検体及び分析項目を分析した時間順に表示させ、かつ、個々の検体及び分析項目の分析プロセスを、行われた時間順に並べて表示させる制御部を備えることを特徴とする自動分析装置。
【請求項２】
請求項１記載の自動分析装置であって、
前記制御部は、前記記憶部に記憶させた情報を異常発生時の原因究明に必要となる自動分析装置の稼動詳細情報として前記出力部に表示させることを特徴とする自動分析装置。
【請求項３】
請求項１または２記載の自動分析装置であって、
前記出力部は、表示手段、プリンターを含むことを特徴とする自動分析装置。
【請求項４】
請求項２記載の自動分析装置において、
前記出力部で示す表示は、個々の前記検体の分析項目を分析検査するのに使用した試薬、分析項目の濃度算出に使用した検量線情報、その検量線を導出するために実施した分析検査の詳細を含むことを特徴とする自動分析装置。
【請求項５】
請求項1記載の自動分析装置において、
前記出力部に示される表示は、計測手段の異常あるいは分析結果に係る異常の各種アラームを含むことを特徴とする自動分析装置。
【請求項６】
請求項５記載の自動分析装置において、
前記制御部は、
発生した異常アラームの原因により、他の分析検査に及ぼされる影響を特定し、影響を及ぼされた可能性のある分析検査に対して付随アラームを付与することを特徴とする自動分析装置。
【請求項７】
請求項６記載の自動分析装置において、
前記制御部は、
発生した異常アラームの原因により、影響を及ぼされた可能性のある分析検査について、再検査の要否を判断し必要な再検査を自動的に行うことを特徴とする自動分析装置。
【請求項８】
請求項１記載の自動分析装置において、
分析検査の検量に用いる検量線を導出するために実施された分析検査の情報は、その分析検査を唯一に特定可能とする識別子により管理されることを特徴とする自動分析装置。
【請求項９】
請求項１記載の自動分析装置において、
前記制御部は、分析結果により発生したアラームが複数の分析間に影響しあうか否かに関する情報を記憶する影響範囲情報記憶部を有し、当該影響範囲情報記憶部に記憶された前記情報を影響範囲として前記出力部に表示し、当該影響範囲情報記憶部に記憶された前記情報に基づいて、前記発生したアラームによって付随的に発生する付随アラームを、前記分析結果とは異なる他の分析結果に付与することを特徴とする自動分析装置。
【発明の詳細な説明】
【技術分野】
【０００１】
本発明は、血液等の生化学的分析や免疫学的分析を行う自動分析装置に関り、特に、自動分析装置を構成する分析設備機器の動作や試薬を含む消耗品の使用状況、分析プロセスで使用される各種管理データや算定資料との関連を記録する手段を備え、かつ記録したデータ（情報）を、分析プロセスの正しさを示したり異常原因の究明に活用したりすることの可能な情報の表示に関する。さらに、再検査の要否を自動で判断・実行する機能に関する。
【背景技術】
【０００２】
血液等の検体を分析する自動分析装置により出力される分析結果に対し、その妥当性を示すデータ（情報）の保管と提示を求められるようになってきている。これに必要な情報としては、使用試薬情報、検量線管理情報、精度管理情報、装置メンテナンス情報などがある。
【０００３】
自動分析装置では、キャリブレーションを必要に応じて実施し、検量線をもとめ、結果を算出する。検量線は、分析項目ごと、かつ使用する試薬ごとに必要である。特許文献１では、試薬残量や有効期限、栓開封後の経過状況などの各種状況を判断し、キャリブレーションの実施を自動分析装置がガイドすることを教示している。
【０００４】
最近では、検査室のワークフロー効率や高価な試薬の消費量低減などを考慮し、ある条件のもと他のキャリブレーション結果を継承して使用できるようになっている。
【０００５】
一方、自動分析装置から異常を示すアラームが出力された場合や、ユーザが行う精度管理により装置の異常が疑われた場合、ユーザは異常の原因究明を速やかに行い必要な処置を講じなければならない。
【０００６】
分析結果に関する異常の場合、特許文献２では、該当分析検査に関する情報として、試料番号、ＩＤ番号情報、分析検査の分析条件情報、試薬分注順序情報、攪拌順序情報、使用した反応容器の番号情報、反応容器の使用来歴情報、反応過程吸光度情報、使用した試薬の試薬情報、キャリブレーション情報、アラーム情報のうちから選択したものを、試料番号あるいはＩＤ番号をキー情報として該当分析検査単位で同一画面上に表示し、ユーザによる原因究明を支援することを教示している。
【０００７】
装置の異常が疑われる場合は、通常の業務を停止しサービスマンを呼び出す。サービスマンは、装置の稼動状況やメンテナンス状況を調査し原因を推定し対策を講じる。場合によっては、製造元へ連絡をとり、装置に残っているデータを吸い上げ解析を依頼する。
【先行技術文献】
【特許文献】
【０００８】
【特許文献１】特開平１０−３３９７３２号公報
【特許文献２】特開２００８−５８１２９号公報
【発明の概要】
【発明が解決しようとする課題】
【０００９】
近年は、高スループットを目指し単位時間あたりの分析項目数を増加させるべく、各種設備の動きを高速にしたり、多種類の分析項目を一つの自動分析装置で分析検査可能とすべく、スケジューリングを工夫したりしている。このため、自動分析装置の稼動を目視で追ったり推測したりすることが不可能となっており、分析プロセスがブラックボックス化している。
【００１０】
分析プロセスの正しさを示すためには、分析項目の濃度算出に使用された検量線が、いつどのような状況でどの試料を用いて実施されたものかを示す情報が必要である。しかし、キャリブレーション結果の継承方法が多種多様なため、必ずしも検量線を導出するために実施された分析検査の詳細情報が残っているとは言えない。
【００１１】
さらには、検量線を導出するために実施された分析検査自体の精度を保証する精度管理結果がどれかも特定できない。
【００１２】
自動分析装置の異常が疑われた場合、サービスマンが到着するまで現況を保全することは困難である。ユーザから聞きだした自動分析装置の稼動状況も十分性・正確性に欠ける。さらに、異常の原因を特定するには、人手により、分析検査における各種処理の順番を示す時間軸で整理する必要があり、対策を打つまでに多大な時間を要している。
【００１３】
自動分析装置から異常を示すアラームが出力された場合や、ユーザが行う精度管理により装置の異常が疑われた場合、ユーザは異常の原因を排除した上で再度分析検査を行い結果を求めなければならない。この時、どの範囲までの分析検査が異常の影響を受けており再検査が必要なのかを知る手立てがない。
【００１４】
本発明は、上記の課題に鑑み、検体を分析検査した分析結果の妥当性や精度を評価する情報が容易に入手できる自動分析装置を提供することを目的とする。
【００１５】
本発明のもう一つの目的は、異常発生や異常原因の究明に必要な情報が容易に入手できる自動分析装置を提供することにある。
【００１６】
本発明のもう一つの目的は、異常発生により、その影響を受けた分析検査を特定し、再検査の要否を判断し必要な再検査を自動的に行う自動分析装置を提供することにある。
【課題を解決するための手段】
【００１７】
上記目的を達成するため、本発明は、反応手段、分注手段、計測手段等の分析設備機器が備わる分析部と、記憶部、入力部、出力部等が備わる操作部を有するところの検体の成分を分析する自動分析装置において、前記分析設備機器が分析検査を行うために作動した動作や自動分析装置のメンテナンスをした実施状況の情報、分析検査に供された試薬等の消耗品に関する使用経過の情報、分析検査の検量に用いる検量線を導出するために実施された分析検査を唯一に特定する情報等を含む各種の情報を前記記憶部に記憶し、前記検体の分析結果の批評として各種の情報を提示できることを特徴とする。
【００１８】
また、本発明は、提供できる各種の情報に異常原因の究明に必要となる自動分析装置の稼動詳細情報を含むことを特徴とする。
【００１９】
また、本発明は、異常発生に伴う他の分析検査に与える影響範囲を特定する情報を含み、再検査を自動的に実施させる機能を持つことを特徴とする。
【発明の効果】
【００２０】
本発明によれば、分析結果の妥当性や精度に対する評価には、記憶部に蓄積したその分析検査に関する各種の情報をエビデンスとして提供できるので的確な判断ができ、ユーザにとって分析結果の信頼性が保証される。
【００２１】
また、自動分析装置の稼動詳細情報を時系列に展開した形で提供できるので、異常原因の早急に究明でき、補修等の対処を迅速に行うことができる。
【００２２】
さらに、異常発生に伴う他の分析検査に与える影響範囲が特定でき、自動的に再検査を実施できるため、ユーザにとって効率的に分析結果の信頼性を確保できる。
【図面の簡単な説明】
【００２３】
【図１】本発明の実施例に係るもので、自動分析装置の全体構成を示すブロック概略図。
【図２】本発明の実施例に係るもので、格納データ出力部の全体的を組織機能を示す図。
【図３】本発明の実施例に係るもので、分析プロセスおよび装置稼動詳細来歴の出力の一例を示す図。
【図４】本発明の実施例に係るもので、試薬詳細情報および検量線属性情報の一例を示す図。
【図５】本発明の実施例に係るもので、分析プロセスおよび装置稼動詳細来歴の中にアラーム情報を時間軸上に組み込んで出力した一例を示す図。
【図６】本発明の実施例であるサンプルプローブ動作来歴の出力に光度計異常アラーム表示を併記した一例を示す図。
【図７】本発明の実施例に係わるもので、キャリブレーション結果詳細出力の一例を示す図。
【図８】本発明の実施例に係わるもので、発生したアラームごとの影響範囲情報の一例を示す図。
【図９】本発明の実施例に係わるもので、影響範囲の特定、付随アラームの付与、及び再検査の要否を判定するフローの一例を示す図。
【図１０】本発明の実施例に係わるもので、発生したアラームが影響を及ぼす範囲、付随アラーム、再検査要否を時間軸上に組み込んで出力した一例を示す図。
【図１１】本発明が適用される自動分析装置の全体概略構成図。
【発明を実施するための形態】
【００２４】
以下、本発明の一例を示す実施形態について図面を参照して説明する。
【実施例１】
【００２５】
本発明の自動分析装置の概略構成を、図１、図１１に沿って説明する。
【００２６】
図１１は、本発明が適用される自動分析装置の全体概略構成図である。図１１において、１２５はサンプルディスク、１１４は試薬ディスク、１３０は反応ディスク、１１８は反応槽、１２４はサンプリング機構、１２２は攪拌機構、１２１は測光機構、１２０は洗浄機構、１２６は試料容器、１１６は試薬ボトル、１３２は反応容器、１１７、１３１はプローブである。試料容器１２６は、サンプルディスク１２５上に複数個配置される。
【００２７】
次に、自動分析装置の操作部、分析部、インターフェースについて説明する。
【００２８】
図１は、本発明を効果的に利用できる自動分析装置の概略機能ブロック図である。
【００２９】
自動分析装置１０１は、操作部１０２と、各種の分析設備機器が備わる分析部１０３を有する。操作部１０２と分析部１０３は、インターフェース１１１を介して情報の伝達を行う。
【００３０】
分析部１０３内は、Ａ／Ｄコンバータ１１２、試薬用ポンプ１１３、試薬ディスク１１４、試薬バーコード読み取り装置１１５、試薬容器１１６、分注手段の試薬分注プローブ１１７、反応手段の反応槽１１８、セル１１９、洗浄機構１２０、計測手段の多波長光度計１２１、攪拌機構１２２、検体用ポンプ１２３、分注手段の検体分注機構１２４、サンプルディスク１２５、検体容器１２６で構成される。
【００３１】
自動分析装置１０１の動作は、上記それぞれの構成要素を用いてサンプル分注、試薬分注、攪拌、測光、セルの洗浄、の順番に実施される。実施される分析検査で行われる各種動作については、当該技術分野においてよく知られており、例えば、特開２００５−２０７８９７号公報に記載されている。
【００３２】
一方、操作部１０２は、分析検査の統括制御を行うコンピュータ（制御部）１０４と、それに接続された入力部１０５、および出力部１０６とを含む。
【００３３】
分析検査の統括制御を行うコンピュータ（制御部）１０４は、自動分析装置を構成する各設備について検体を分析検査するために行われた動作や自動分析装置のメンテナンスの実施状況と、分析検査に供された消耗品の使用経過をタイムスタンプ付きで記録する記憶部１０７と、検量線を導出するために実施された分析検査を特定する情報として、検量線を求めるために実施した分析検査に対してＩＤを付与する分析ＩＤ管理部１０８を含む。また、分析プロセスデータ１２７を格納する。
【００３４】
さらに、コンピュータ１０４は発生したアラームごとに、影響を及ぼす範囲とその重要度、再検査要否に関する情報を、影響範囲情報記憶部１２８に記憶する。そして、これらの情報を発生したアラームに適用し、付随アラームを該当分析検査に付与し再検査判定を行う影響判定部１２９を含む。
【００３５】
入力部１０５としては、一般的なキーボード、マウスや、ＣＲＴに触れることで操作するタッチパネル等が挙げられる。出力部１０６としては、表示手段のＣＲＴやプリンターが挙げられる。操作部１０２としては、価格が安く、操作性の優れたパーソナルコンピュータを利用することができる。
【００３６】
自動分析装置１０１による分析検査で行われる各種動作は、前述のとおり複数の構成要素を用い、かつそれらを適切に動作させる必要があるため、オペレータは操作部１０２において適切な制御パラメータを入力する。
【００３７】
本発明の主要部について説明する。
【００３８】
まず記憶部１０７に、分析項目ごとに装置稼動詳細情報を記憶させる事例を説明する。
【００３９】
図１の自動分析装置において、ある検体のある分析項目に対する分析検査を開始すると、まず分析ＩＤ管理部１０８により分析ＩＤが付与され、その分析ＩＤは分析検査対象である検体の識別情報や分析検査に必要なその他のデータとともにキー情報として記憶部１０７に記録される。
【００４０】
その後、各設備の動作が発生するたびに、動作記録が記憶部１０７に追加される。例えば、サンプル分注が行われた際に記録されるデータには、「実施日時」、「分注に使用したセルＮｏ．」などがある。これらの動作記録が、上述の分析ＩＤや分析項目に関連付けられ、発生順に保管される。
【００４１】
一方、例えば、試薬分注が行われた際に記録されるデータには、「実施日時」、「分注に使用した試薬の、試薬ディスク上における位置」などがあり、サンプル分注の場合と同様に上述の分析ＩＤに関連付けられ、発生順に保管されるが、加えて、試薬は消耗品であるので、「試薬の残量」が「使用日時」とともに記憶部１０７に記録される。
【００４２】
その他、分析検査中に不定期に発生する情報、例えば異常通知アラームなどについても、記憶部１０７において、分析ＩＤのキー情報とともに「発生日時」や「アラーム種別」が記録される。
【００４３】
次に、分析項目ごとの分析結果の詳細情報である分析プロセスデータについて説明する。
【００４４】
分析プロセスデータ１２７は、ある検体に対して依頼された分析項目の分析プロセスに関する情報であり、コンピュータ（制御部）１０４の内部に記憶される。分析検査対象である検体の種別や番号などの識別情報と分析項目をキーに、分析ＩＤ管理部１０８で付与された分析ＩＤ、分析結果、使用した試薬の詳細情報、および多波長光度計１２１で測定される各波長の吸光度データなどを含む。
【００４５】
使用した試薬の詳細情報には、試薬位置、ロット名、有効期限、検量線、さらに、検量線を求めた際の分析ＩＤなどがある。この検量線を求めた際の分析ＩＤにより、実際の分析プロセスデータや装置稼動詳細情報を再帰的に追跡することが可能となる。
【００４６】
尚、オペレータは、ある検体に対して複数の分析検査を行うよう自動分析装置１０１に依頼する。自動分析装置１０１は、依頼された一つ以上の検体に対する一つ以上の分析項目を、結果待ち時間が最短になるよう、各設備の使用計画や試薬の反応待ち時間等を考慮したスケジューリングを行ったのちに分析検査を開始する。このため、分析結果は必ずしもオペレータが依頼した順序で出力されるわけではない。
【００４７】
分析プロセスデータ１２７は、出力部１０６で内容を確認することもできるが、汎用的フォーマットにて生成されているため、電子ファイルのまま外部媒体に記録し、他のコンピュータ上で読むことも可能である。
【００４８】
図２は、本発明を実施可能な自動分析装置の一例であって、分析プロセスデータ１２７、記憶部１０７、および分析ＩＤ管理部１０８に格納されたデータを、出力部１０６に出力するための全体構成を示すシステム図である。
【００４９】
このシステム図に示される格納データ出力部２０１は、記憶部２０２とデータ処理部２０３と入出力部２０４から構成される。ユーザが入出力部２０４から分析プロセスデータ指定２０９を実行すると、データ読み取り機能２０６は、設定ファイル２０５を読み、指定された分析プロセスデータ１２７のファイルの書式を取得したのちに、書式に応じた適切な読み取り処理を実行して分析プロセスデータ１２７をデータ読み取り機能２０６のメモリ上に取得する。
【００５０】
追加データ生成機能２０７は、メモリ上に取得された分析プロセスデータ１２７を元に、生成規則に従っていくつかのデータを生成する。例えば、サンプル分注を行うサンプルプローブという分析設備機器の動作来歴は分析プロセスデータ１２７には含まれていないので、分析プロセスデータ１２７に含まれるセルＮｏ．を元に、サンプル分注が行われた時間を論理的に推測して生成する。
【００５１】
これは、自動分析装置１０１の動作は「サンプル分注、試薬分注、攪拌、測光、セルの洗浄、の順番に実施される」という事実と、自動分析装置１０１が分析検査のスケジューリングを行う際のセルＮｏ．の割り当て規則を元に推測することができる。生成したデータは、図１における記憶部１０７に保存される。
【００５２】
データ出力機能２０８では、記憶部１０７内のデータを目的に応じた書式に整形して分析プロセスおよび装置稼動詳細来歴２１１として出力部１０６に表示する。その際、分析設備機器および書式指定２１０によって、ユーザの用途に応じた表示方法を選択できる。
【００５３】
以降、データ出力に関する具体例を示す。
【００５４】
図３、図４を沿って、分析結果の妥当性や精度を確認するためのエビデンスを提供する表示例を示す。
【００５５】
図３は、図１における出力部１０６に出力する分析プロセスおよび装置稼動詳細来歴２１１の一例を示す図である。分析プロセスデータ１２７や記憶部１０７に記録した各データを、全データ表示領域３０１に、分析検査した検体順かつ分析検査した分析項目順に同一時間軸上に展開して出力する。
【００５６】
全データ表示領域３０１内の表見出し３０２において「分析ＩＤ」「検体Ｎｏ．」「分析項目」「セルＮｏ．」以外の数字は、サンプル分注、試薬分注などの各動作が行われた時間帯（たとえば、サイクルなど）を示している。各行は一つ一つの分析プロセスと、使用した設備や試薬など消耗品の情報をあわせて表示する。
【００５７】
このように、出力部１０６のＣＲＴに示される出力表示の情報は、分析プロセスの観点で、時系列的に並ぶように展開された表示や分析検査した検体順に並ぶ情報の表示が併せて示される。これらの一目で分るように表示された各種情報は、分析結果の妥当性や精度に対する評価のエビデンスになる。この提供された各種情報のエビデンスを基に、ユーザは分析結果の評価に対する的確な判断を迅速にすることができ、ユーザにとって分析結果の信頼性が保証される。
【００５８】
図４は、図３における試薬詳細情報表示の一例を示す図である。試薬分注表示箇所４０１をダブルクリックすると、記憶部１０７に記録したデータから、使用した試薬、および分析項目の濃度算出に使用した検量線情報、さらにその検量線を導出するために実施した分析検査の詳細を抽出して分析詳細４０２に出力する。
【００５９】
この分析詳細４０２で提供される情報により、分析プロセスの追跡や分析検査に供された消耗品の試薬を特定できる。また分析項目の濃度算出に使用した検量線の情報、さらにその検量線を導出するために実施した分析検査の詳細を合わせて表示することにより、分析プロセスが適切に管理されているもとで実施されたことのエビデンスを提供できる。
【００６０】
尚、キャリブレーション分析ＩＤ４０３は、分析ＩＤ４０４とリンクしているので、この分析検査の詳細を閲覧し、検量線の導出妥当性を再帰的に確認することができる。
【００６１】
図７は、出力部１０６に出力するキャリブレーション結果詳細の一例を示す図である。キャリブレーション分析ＩＤ７０１が表示情報に含まれているため、キャリブレーション分析ＩＤをキーに検索することにより、検量線を導出した分析プロセスの詳細情報を確認することができる。
【００６２】
以上により、分析検査のプロセスが装置稼動詳細情報とともに時間軸上に整理して提供され、検体の分析検査が所定の手順で、かつ適切に管理されたデータを使用して実施されたことを容易に確認することができる。
【００６３】
次に図５を使用して、アラーム情報に連動させて分析結果の妥当性を確認可能とする表示例を示す。
【００６４】
図３に示す表示例において、全データ表示領域３０１に表示する時間帯に異常通知アラームが含まれていた場合には、図５に示すアラーム情報５０１を表示する。アラーム情報５０１をその「発生日時」を元に全データ表示領域内に組み込んで表示することによって、分析結果を異常発生の前と後とに明確に区別して示すことができる。
【００６５】
以上により、ユーザは発生したアラームに関連して、その近傍で行われていた分析検査とその処理が何であるかを詳細に知ることができ、アラーム発生後だけでなく、その直前の分析検査に対しても注意を払うことで、結果の信頼性を保証することが可能となる。
【００６６】
次に、図８、図９、図１０を使用して、発生したアラームが影響を及ぼす範囲を特定し表示する例を示す。
【００６７】
図８に、影響範囲情報記憶部１２８に記憶している情報の一例を示す。アラーム名称８０１ごとに、影響範囲８０２、重要度８０３、再検査要否８０４が格納されている。本情報は、入力部１０５よりユーザが入力し記憶させることができる。
【００６８】
アラーム発生時、発生したアラームをキーに影響範囲情報記憶部１２８に記憶してある影響範囲、重要性、再検査の要否に関する情報を使用し、影響範囲の特定と付随アラームの付与、及び再検査の要否を判定する。そのフローの一例を図９を使用して説明する。
【００６９】
まず、処理９０１は発生したアラームをキーに該当する情報があるかどうか検索する。検索結果がない場合は終了する。検索結果がある場合は、処理９０２により影響のある分析検査を特定する。そして、処理９０３により重要度に応じた付随アラームを付与し、処理９０４により再検査要否を判定する。再検査が必要と判定された場合は、処理９０５により再検依頼を作る。影響を与える可能性のある全ての分析検査に対して、処理９０３から処理９０５を実施したら終了する。
【００７０】
発生したアラームが影響を及ぼす範囲は、図１０の表示領域１００１、１００２のような形で表示する。この例は、分析検査１００３においてサンプル詰まりアラームが発生した場合で、図８、影
響範囲情報８０５を利用し分析検査１００４のサンプル分注１００２も影響を受けると判定し付随アラームを付与したことを示している。
【００７１】
以上により、ユーザは発生したアラームに関連して、その時間的近傍あるいは場所的近傍で行われていた分析検査とそれらへの影響を知ることができ、結果の信頼性を保証することが可能となる。
【００７２】
次に、図９、図１０を使用して、自動的に再検査の要否を判定し、必要な再検査を実施する例を示す。
【００７３】
図９に示すフローで、発生したアラームが及ぼす影響範囲と再検査要否が判定される。再検査要と判定した分析検査は、図１０表示領域１００５のように該当する検体と分析項目の背景色を変えるなどの表示方法により明示した上で、自動的に再検査を分析部１０３に指示し実行される。
【００７４】
以上により、発生したアラームの影響を受けた可能性の高い分析検査について、効率的な再検査が行えるようになる。
【００７５】
次に図６を使用して、複数の設備に関する装置稼動詳細情報を同一時間軸上で監視するための表示例を示す。
【００７６】
図６は、図１における記憶部１０７からサンプル分注を行う設備であるサンプルプローブの動作来歴に特化してデータを抽出したサンプルプローブ動作来歴の例である。最上段に、最後にサンプル分注が行なわれた来歴を示している。
【００７７】
抽出したデータの時間帯に異常通知アラームが含まれていた場合にはアラーム情報６０１を表示する。図６は、サンプルプローブの動作来歴に光度計異常アラームを組み合わせて表示した例であるが、この他の各種プローブや反応セルと、電気系、メカ系、データ処理系のアラームを組み合わせて表示することができる。
【００７８】
以上により、複数の分析設備機器に関する装置稼動詳細情報を関連させて閲覧することが可能となるため、装置の異常発生時の原因究明および対処の迅速化に寄与でき、不稼動時間を低減させることである。
【００７９】
尚、上述の実施例は出力部１０６として主にＣＲＴを想定して記述したが、同様のデータを同様の出力書式で、帳票としてプリンターに出力して提供することも勿論可能である。
【００８０】
以上のような構成にすることにより、自動分析装置の分析プロセスを可視化し、分析項目の濃度算出時に使用されたデータが適切に管理されている証拠とともにユーザに提供することができるので、分析検査の信頼性保全を維持することが可能となる。
【００８１】
また、異常原因究明時に必要となる装置稼動詳細情報を、設備と時間帯に着目して並び替えて示すことができるので、自動分析装置の異常発生時の迅速な修繕を可能とし、不稼動時間を低減させる効果がある。
【００８２】
さらに、発生した異常アラームの原因により、他の分析検査に及ぼされる影響範囲が特定でき、自動的に再検査が実施されるので、信頼性を確保しつつ効率的な運用を実現することができる。
【００８３】
なお、上述した本発明の実施例において、記憶部１０７に記憶された種々のデータは、一定期間経過後、ホストコンピュータに転送し、バックアップする構成とすることが可能である。記憶部１０７におけるデータ記憶保持期間としては、一週間〜１ヶ月程度とすればよい。
【００８４】
また、上述した例においては、コンピュータ（制御部）１０４を操作部１０１の内部に備える構成としたが、操作部１０１の内部ではなく、上述したコンピュータ（制御部）１０４と同様な機能及び構成を有する制御部を分析部１０３内に備える構成であっても、本発明は実現可能である。
【符号の説明】
【００８５】
１１８・・・反応手段の反応槽、１１７・・・分注手段の試薬分注プローブ、１２４・・・分注手段の検体分注機構、１２１・・・計測手段の多波長光度計、１０３・・・分析部、１０７・・・記憶部、１０４・・・コンピュータ（制御部）、１０５・・・入力部、１０６・・・出力部、３０１・・・全データ表示領域、３０２・・・表見出し、５０１・・・アラーム情報、４０２・・・分析詳細
【図１】
0005425487.tif 000002
【図２】
0005425487.tif 000003
【図３】
0005425487.tif 000004
【図４】
0005425487.tif 000005
【図５】
0005425487.tif 000006
【図６】
0005425487.tif 000007
【図７】
0005425487.tif 000008
【図８】
0005425487.tif 000009
【図９】
0005425487.tif 000010
【図１０】
0005425487.tif 000011
【図１１】
0005425487.tif 000012